(57)【要約】【課題】消臭、抗菌、抗ウイルス、防カビ作用を有する機能性化学物質を保持する高機能フィルタにおいて、その機能性化学物質による効果が十分に持続するようなフィルタを提供すること。【解決手段】空気を通過させるフィルタであって、該フィルタはマイクロカプセルを濾材に保持させてなり、前記マイクロカプセルは、機能性化学物質を包含する多孔質微粒子が、前記機能性化学物質が透過可能な保護剤で被覆されてなるフィルタ。【選択図】なし【特許請求の範囲】
【請求項１】
空気を通過させるフィルタであって、該フィルタはマイクロカプセルを濾材に保持させてなり、前記マイクロカプセルは、機能性化学物質を包含する多孔質微粒子が、前記機能性化学物質が透過可能な保護剤で被覆されてなるフィルタ。
【請求項２】
前記多孔質微粒子は、濾材に挟持させることにより保持されてなる、請求項１に記載のフィルタ。
【請求項３】
前記多孔質微粒子が、二酸化ケイ素、アルミナ、ゼオライト、多糖類及び発泡樹脂より選ばれる一種又は二種以上からなる、請求項１又は２に記載のフィルタ。
【請求項４】
前記多孔質微粒子の外径が５０〜５００μｍである、請求項１〜３のいずれか１項に記載のフィルタ。
【請求項５】
前記保護剤が、アクリル樹脂、エポキシ樹脂、ウレタン樹脂、シリコーン樹脂、ケイ素化合物及びチタン化合物より選ばれる一種又は二種以上からなる請求項１〜４の何れか１項に記載のフィルタ。
【請求項６】
前記濾材が、前記マイクロカプセルを収容する複数の区分けされた収容室を備える請求項２〜５の何れか１項に記載のフィルタ。
【発明の詳細な説明】
【技術分野】
【０００１】
本発明は、空気を通過させて、例えば空気を浄化させる等の目的で使用されるフィルタに関する。
【背景技術】
【０００２】
従来より、エアコン、空気清浄機、掃除機などには、消臭、抗菌、抗ウイルス、抗カビなど各種の機能を備えた機器が求められており、これらの要望に対応すべく、様々な検討がなされている。
【０００３】
そのなかでも、上記機能を各種の機器に付与する方法として、当該機器に用いられているフィルタに、各種の機能を果たすことが可能な物質を担持させたり、当該物質をマイクロカプセルと称される微粒子に封入し、当該マイクロカプセルをフィルタに担持させたりする方法が提案されている（特許文献１、２）。
【０００４】
例えば、特許文献１に記載の方法は、Ａｇ−アパタイトを抗菌剤として用い、これをイオン交換水、酵素、バインダーと混合してディップ液を造り、この液をフィルタに含浸させるものである。このように、フィルタに所定の液を含浸させ、フィルタに抗菌剤を直接担持させることで、フィルタを通過する空気が抗菌剤と接触し、フィルタ通過前の空気を浄化することが可能となる。しかしながら、このように、抗菌剤をフィルタに直接担持させた場合、抗菌剤の機能は空気による酸化などにより低下し易いため、抗菌効果の持続性の面で、改善の余地がある。また、抗菌効果の持続性を保持するために、抗菌剤の担持量を増加させることはある程度可能ではあるが、抗菌剤をフィルタに多量に担持させた場合は、フィルタの目詰まりが発生する場合があり、却ってフィルタの役割を阻害する場合があるという問題点があった。
【０００５】
また、特許文献２には、抗菌性物質をマイクロカプセルに封入し、これを基材に担持したフィルタが提案されており、このフィルタによれば、マイクロカプセルの壁を壊さない限り、抗菌性物質が外部には殆ど放出されることはないとされている。また、当該フィルタを用いる空気清浄装置には、マイクロカプセルを人為的に破壊するための手段が必要となる。このように、特許文献２に記載の方法では、マイクロカプセルを用いること等により、フィルタの寿命を長くすることができるとされている。しかしながら、特許文献２に記載の方法では、空気清浄機にマイクロカプセルを人為的に破壊する手段が必要になる点で問題がある。また、特許文献２に記載のマイクロカプセルを用いても、実際のところ、封入されている抗菌性物質が外部に放出される場合があるとの指摘がある。
【先行技術文献】
【特許文献】
【０００６】
【特許文献１】特許３９７０７０７号公報
【特許文献２】特開平１１−２２６３２６号公報
【発明の概要】
【発明が解決しようとする課題】
【０００７】
上記のような事情に鑑み、本発明の目的は、容易に、各種の機能を有する機能性化学物質の効果を持続させることが可能なフィルタを提供することにある。
【課題を解決するための手段】
【０００８】
発明者らは、かかる課題を解決すべく、鋭意検討を進めた。その結果、機能性化学物質を包含する多孔質微粒子を、当該機能性化学物質が透過可能な保護剤で被覆したマイクロカプセルを用いることで、機能性化学物質が多孔質微粒子より漏れ出すのが抑制され、機能性化学物質による機能が持続することを見出し、本発明を完成するに至った。
【０００９】
即ち、本発明の要旨は以下の通りである。
〔１〕空気を通過させるフィルタであって、該フィルタはマイクロカプセルを濾材に保持させてなり、前記マイクロカプセルは、機能性化学物質を包含する多孔質微粒子が、前記機能性化学物質が透過可能な保護剤で被覆されてなるフィルタ。
〔２〕前記多孔質微粒子は、濾材に挟持させることにより保持されてなる、前記〔１〕に記載のフィルタ、
〔３〕前記多孔質微粒子が、二酸化ケイ素、アルミナ、ゼオライト、多糖類及び発泡樹脂より選ばれる一種又は二種以上からなる、前記〔１〕又は〔２〕に記載のフィルタ、
〔４〕前記多孔質微粒子の外径が５０〜５００μｍである、前記〔１〕〜〔３〕のいずれかに記載のフィルタ、
〔５〕前記保護剤が、アクリル樹脂、エポキシ樹脂、ウレタン樹脂、シリコーン樹脂、ケイ素化合物及びチタン化合物より選ばれる一種又は二種以上からなる前記〔１〕〜〔４〕の何れかに記載のフィルタ、
〔６〕前記濾材が、前記マイクロカプセルを収容する複数の区分けされた収容室を備える前記〔２〕〜〔５〕の何れかに記載のフィルタである。
【発明の効果】
【００１０】
本発明のフィルタによれば、機能性化学物質を包含する多孔質微粒子を、当該機能性化学物質が透過可能な保護剤で被覆することにより、従来の機能性化学物質を包含した多孔質微粒子を有するフィルタよりも長時間にわたって、機能性化学物質により奏される効果を持続させることが可能となる。
【発明を実施するための形態】
【００１１】
本発明は、空気を通過させるフィルタであって、該フィルタはマイクロカプセルを濾材に保持させてなり、前記マイクロカプセルは、機能性化学物質を包含する多孔質微粒子が、前記機能性化学物質が透過可能な保護剤で被覆されてなるフィルタである。
【００１２】
本発明における空気を通過させるフィルタは、空気が通り抜けることにより消臭、殺菌、抗ウイルス、防カビ、集塵、防塵作用等の何れか一又は二以上の作用を発揮するフィルタであって、例えば空気清浄機、エアコン、掃除機、冷蔵庫、送風機、加湿器、クリーンルーム、マスク等に取り付けられ、使用されるフィルタである。
【００１３】
マイクロカプセルは、保護剤で被覆された多孔質微粒子中に機能性化学物質を包含している。多孔質微粒子は、細孔構造を有する微粒子であって、細孔構造の中には機能性化学物質を包含することができる。ここで、機能性化学物質による効果を長期間持続させるために、機能性化学物質の保持量が多いものを選択するのが好ましい。
【００１４】
多孔質微粒子の材質としては機能性化学物質を変質させにくいものであることが好ましく、無機多孔質微粒子であっても、有機多孔質微粒子であってもよい。
【００１５】
無機多孔質微粒子の材質としては、例えば二酸化ケイ素、アルミナ又はゼオライトが挙げられる。
【００１６】
有機多孔質微粒子の材質としては、例えば多糖類又は樹脂を挙げることができる。より具体的には、多糖類としてはたとえば、アラビアゴム、ペクチン、キサンタンガム、グァーガム、カラギナン、ローストビーン等が挙げられるがこれらに限定されない。また、樹脂も特に限定はなく、たとえば、エポキシ樹脂、ポリスチレン、ポリメタクリル酸メチルエステル、エチレン-酢酸ビニル共重合体、ポリビニルトルエン、アクリルゴム等の各種重合体や、塩化ビニリデンやアクリロニトリル、メタクリル酸等のエチレン系単量体を主成分の単量体として得られる重合体を用いた硬化促進剤含有マイクロカプセルを含有するエポキシ樹脂組成物などの樹脂を使用した発泡樹脂などが挙げられる。
【００１７】
多孔質微粒子の大きさは、フィルタからの漏れ出しを防ぐという観点から、直径５０〜５００μｍが好ましく、直径１００μｍ以上がより好ましい。
【００１８】
多孔質微粒子の細孔の大きさは、薬剤を含浸させることが可能で、且つ薬剤の保持力も確保するという観点から、細孔径１〜１００ｎｍであればよく、１０〜５０ｎｍがより好ましい。
【００１９】
多孔質微粒子を作製する方法としては、公知の方法でよく、例えば有機多孔質微粒子であれば相分離法、無機多孔質微粒子であれば粉床法が挙げられるが、特にこれらに限定されるわけではなく、無数の小孔を有し、機能性化学物質を包含できるものであればよい。
【００２０】
機能性化学物質は、消臭、抗菌、殺菌、抗ウイルス、防カビ作用を有する化学物質であり、それぞれの作用を発揮する物質であれば特に限定はないが、例えば、消臭剤としてはフラボノイド等の植物由来成分、殺菌剤としては塩化ベンザルコニウム、次亜塩素酸塩、抗ウイルス剤としては次亜塩素酸塩、抗カビ剤としては次亜塩素酸塩等が挙げられる。
【００２１】
多孔質微粒子が機能性化学物質を包含するとは、多孔質微粒子の内部及び表面の孔に機能性化学物質が含まれる場合をいう。多孔質微粒子に機能性化学物質を包含させるための方法は、マイクロカプセルの材質や作成方法にもよるが、例えば無機マイクロカプセルに機能性化学物質を包含させるためには、加圧状態にて機能性化学物質を多孔質微粒子に含浸させるとよい。ここで、機能性化学物質を多孔質微粒子に含浸させる際の圧力は０．１〜２．０ＭＰａが好ましく、１．２〜１．５ＭＰａがより好ましい。含浸させる時間については、機能性化学物質が多孔質微粒子に充分に含浸されれば特に限定はなく、また機能性化学物質及び多孔質微粒子の種類にもよるが、例えば１０分〜２時間が好ましい。
【００２２】
保護剤は、機能性化学物質を内包した多孔質微粒子を被覆する物質であり、機能性化学物質が漏れ出すのを防止する。
【００２３】
保護剤が多孔質微粒子を被覆するとは、多孔質微粒子の外側表面の略全体にわたって、多孔質微粒子外表面に保護剤が付着した状態をいうが、必ずしも外表面全体に隙間なく付着している必要はなく、勿論外表面全体に隙間なく付着していても良い。
【００２４】
保護剤としては、多孔質微粒子の表面に被覆した際に、表面に微細な穴が形成されるような性質が好ましい。また、多孔質微粒子を被覆する保護剤の層が厚すぎると、機能性化学物質が保護剤の層を透過することができない。以上を鑑みて、マイクロカプセルに対する、保護剤自体の重量比率は、３〜４０％であればよく、５〜２０％がより好ましい。
【００２５】
多孔質微粒子が保護剤を透過するとは、多孔質微粒子を保護剤で被覆した際、表面に微細な穴が形成されるような場合には、機能性化学物質がその微細な穴を通り抜けたり保護剤の層自体を通り抜けたりして外に出ることをいう。また、保護剤の材質によって、多孔質微粒子が保護剤により微細な穴を形成することなく被覆されるような場合には、その保護剤の層自体を通り抜けて外に出ることをいう。
【００２６】
保護剤の材質は、有機系素材、無機系素材のいずれであってもよいが、機能性化学物質自体と反応し、機能性化学物質の性質に影響を与えるような物質は避けるのが望ましい。
【００２７】
保護剤の有機系素材としては、具体的にはアクリル樹脂、エポキシ樹脂、ウレタン樹脂、シリコーン樹脂のいずれか１種又は２種以上からなる複合物を挙げることができる。保護剤の無機系素材としては、ケイ素化合物、チタン化合物のいずれか１種又は２種以上からなる複合物を挙げることができる。
【００２８】
保護剤により、マイクロカプセル表面を被覆する方法としては、保護剤の材質として有機系素材を使用する場合には、マイクロカプセルを樹脂に含浸させるとよい。
【００２９】
無機系素材による保護剤としては、ケイ素化合物やチタン化合物が好適である。多孔質微粒子を被覆する方法としては特に限定はないが、例えば水ガラスや正ケイ酸エチルにマイクロカプセルを含浸させ、加水分解反応を起こすことにより、それぞれケイ酸や二酸化ケイ素を形成し、多孔質微粒子を被覆することができる。
【００３０】
保護剤によるマイクロカプセル外表面の被覆を早めるために、反応促進剤を使用してもよい。反応促進剤としては、例えばアミン化合物などを使用すればよいが、機能性化学物質への影響のないものであればよく、これに限定されない。
【００３１】
フィルタの濾材は、空気を通過させることのできる部材である必要があり、例えば繊維状構造物が好ましい。より具体的には、不織布であって、材質はポリエステル、ポリエチレン、ポリプロピレン又はこれらの混紡品が挙げられる。不織布の目付は４０ｇ／ｍ2以上であればよく、１００ｇ／ｍ2以上がより好ましい。
【００３２】
マイクロカプセルをフィルタに保持させる方法としては、フィルタをどのように傾けても、マイクロカプセルがフィルタ全体に偏りなく保持されるような方法が望ましい。
【００３３】
マイクロカプセルをフィルタ全体に偏りなく保持させるような方法としては特に限定はないが、例えば、２枚のフィルタ濾材によりマイクロカプセルを一定の圧力がかかるように挟み込み、挟持する方法が挙げられる。この際には、フィルタをどのように傾けてもマイクロカプセルがフィルタの一部に偏らないようにするために、片方のフィルタの略全面にわたって、もう一方のフィルタ方向にマイクロカプセルを押さえつけるための圧力がかかっていることが望ましいが、マイクロカプセルがフィルタの一部に偏らないようになっていればよく、これに限定されない。
【００３４】
一方、フィルタの濾材の種類によっては、例えば濾材が薄すぎたり、濾材の可撓性が高すぎたりするといった理由により、ただ一定の圧力をかけてマイクロカプセルを挟むだけではマイクロカプセルを十分に保持できない場合もある。
【００３５】
そこで、より確実にマイクロカプセルを保持するために、フィルタ濾材中にマイクロカプセルの収容室を格子状に設けてもよい。収容室のサイズについては、１〜２５ｃｍ2が好ましい。収容室は、２枚のフィルタにマイクロカプセルを挟んだ後、水平に保ちながら格子状に縫合したり、融着したりするなど、そのフィルタの素材等に応じて適宜選択した方法により作製するとよい。
【００３６】
以上にして、フィルタに保持させるマイクロカプセルの重量は、フィルタの単位面積当たり１００〜１０００ｇ／ｍ2が好ましく、３００〜１０００ｇ／ｍ2がより好ましい。
【実施例１】
【００３７】
本発明の詳細を実施例に基づいて説明するが、本発明の趣旨はこれに限定されるものではない。また、以下のすべての評価試験において使用する不織布は、日本バイリーン社製、目付が１５０ｇ／ｍ2のものを使用した。
【００３８】
（製造例１）消臭剤マイクロカプセルの調製
二酸化ケイ素粒子（東ソー・シリカ製：ニップシルＫＱ）５０重量部に対して液状消臭剤（高砂香料製：ＤＥＯＡＴＡＫ）３０重量部を、１．５ＭＰａで１時間、加圧して含浸させた。その後正ケイ酸エチル（昭和化学製）５０重量部を添加し、該正ケイ酸エチルを加水分解してケイ酸ガラスを生成させて二酸化ケイ素粒子を被覆させた。
【００３９】
（製造例２）殺菌剤マイクロカプセルの調製
二酸化ケイ素粒子（東ソー・シリカ製：ニップシルＫＱ）５０重量部に対し液状殺菌剤（丸石製薬製：塩化ベンザルコニウム）３０重量部を、１．５ＭＰａで３０分間、加圧して含浸させた。その後正ケイ酸エチル（昭和化学製）５０重量部を添加し、該正ケイ酸エチルを加水分解してケイ酸ガラスを生成させて二酸化ケイ素粒子を被覆させた。
【００４０】
（製造例３）抗カビ剤マイクロカプセルの調製
二酸化ケイ素粒子（東ソー・シリカ製：ニップシルＫＱ）５０重量部に対し液状防カビ剤（昌栄化学製：レバナックスＡＭ−１００）３０重量部を、１．５ＭＰａで２時間、加圧して含浸させた。その後正ケイ酸エチル（昭和化学製）５０重量部を添加し、該正ケイ酸エチルを加水分解してケイ酸ガラスを生成させて二酸化ケイ素粒子を被覆させた。
【００４１】
（実施例１）
製造例１にて製造した消臭剤マイクロカプセルを２枚の不織布に挟み、水平に保った状態で３×３ｃｍの格子状に縫合して収容室を作製し、１ｋｇ／ｍ2となるように消臭性フィルタを作製した。
【００４２】
（実施例２）
製造例１にて製造した消臭剤マイクロカプセルを２枚の不織布に挟み、水平に保った状態で３×３ｃｍの格子状に縫合して収容室を作製し、０．２ｋｇ／ｍ2となるように消臭性フィルタを作製した。
【００４３】
（比較例１）
消臭剤（高砂香料工業製：ＤＥＯＡＴＡＫ）を不織布に０．４ｋｇ／ｍ2となるように含浸させ、消臭性フィルタ作製を試みた。しかし、消臭剤を含浸させる際、不織布自体の保水性能が十分でないことから、目的量の消臭剤を付着させることができず、フィルタ取得に至らなかった。尚、消臭剤を不織布に０．４ｋｇ／ｍ2となるように含浸させた場合、実施例１のフィルタに保持させた消臭剤と同等量に相当する。
【００４４】
（比較例２）
消臭剤（高砂香料工業製：ＤＥＯＡＴＡＫ）を不織布に０．０８ｋｇ／ｍ2となるように含浸させ、消臭性フィルタを作製した。尚、消臭剤を不織布に０．０８ｋｇ／ｍ2となるように含浸させた場合、実施例２のフィルタに保持させた消臭剤と同等量に相当する。
【００４５】
（消臭性評価試験）
実施例１、２、比較例２及び消臭剤を付与しない未処置の不織布フィルタについて消臭性評価試験を行った。まず、密閉可能な容器（以下、エアパックという）を４つ用意し、実施例１、２、比較例２及び消臭剤を付与しない未処置の不織布フィルタを、フィルタ別に入れた後、エアパック内に硫化水素とアンモニアの混合ガス（以下、臭気ガスという）を１００ｐｐｍの濃度となるように導入した。臭気ガス導入から１時間後にエアパック内の臭気ガス濃度の測定を行うことにより、各フィルタが臭気ガスを消去したか否か判定した。この際、エアパック内の臭気ガスの濃度の測定値が１ｐｐｍ以下であった場合、臭気ガスは消去されたと判定した。その後、フィルタはエアパック内に残したまま、再度エアパック内に臭気ガスを濃度１００ｐｐｍとなるように導入し、１時間後にエアパック内の臭気ガス濃度の測定を行った。以上の工程を、各フィルタにつき、臭気ガス濃度が減少しなくなるまで繰り返し、各フィルタが臭気ガスを吸着した回数を集計した。
【００４６】
（消臭性評価試験結果）
【表１】
2014000155.tif 000002
【００４７】
表１に示したように、未処置の不織布フィルタにおいては、１回の吸着しか見られなかったのに対し、実施例１及び２のフィルタでは顕著な吸着回数の増加が見られた。以上から、本発明のフィルタは、消臭性能の持続性に優れることが確認された。また、同等量の消臭剤を保持する実施例２及び比較例２の比較により、本発明に係るフィルタは同等の消臭剤を保持させた従来品に比べ、効果持続力に優れていることが確認された。更には、比較例１のフィルタは、不織布の保水能力の限界から作製できなかった一方で、実施例１のフィルタにおいては比較例１で作製を試みたのと同等量の消臭剤をフィルタに保持させることが可能であったことから、フィルタに消臭剤を保持させる能力にも優れることが確認された。以上から、本発明に係るフィルタは、従来品に比べて消臭剤の保持能力と効果持続力の双方において優れた効果を示すことが確認された。
【００４８】
（実施例３）
製造例２にて製造した殺菌剤マイクロカプセルを２枚の不織布に挟み、水平に保った状態で３×３ｃｍの格子状に縫合して収容室を作製し、１ｋｇ／ｍ2となるように殺菌性フィルタを作製した。
【００４９】
（実施例４）
製造例２にて製造した殺菌剤マイクロカプセルを２枚の不織布に挟み、水平に保った状態で３×３ｃｍの格子状に縫合して収容室を作製し、０．２ｋｇ／ｍ2となるように殺菌性フィルタを作製した。
【００５０】
（殺菌性評価試験）
実施例３、４及び殺菌剤を付与しない未処置の不織布フィルタについて殺菌性評価試験を試みた。まず、大腸菌Ｏ−８１を１．０×１０6個／ｍＬ含む水１００ｍＬを３つ用意し、実施例３、４のフィルタおよび殺菌剤を付与しない未処置の不織布をそれぞれ１０ｃｍ2別々に浸漬して３３℃の条件下で静置した。試験開始時、試験開始１日後、２日後における水中の大腸菌数をＡＴＰアナライザー（東亞ディーケーケー社製：ＡＦ−１００）により測定した。
【００５１】
（殺菌性評価試験結果）    
以下に、殺菌性評価試験結果を示す。尚、各データの単位は（個／ｍＬ）である。
【表２】
2014000155.tif 000003
【００５２】
表２に示したように、未処置の不織布フィルタを入れた水においては経日的に大腸菌数の増加が見られたが、本発明に係るフィルタを入れた水においては経日的に大腸菌数の減少が見られた。よって、本発明に係るフィルタの殺菌性能が確認された。
【００５３】
（実施例５）
製造例３にて製造した防カビ剤マイクロカプセルを２枚の不織布に挟み、水平に保った状態で３×３ｃｍの格子状に縫合して収容室を作製し、１０ｋｇ／ｍ2となるように防カビフィルタを作製した。
【００５４】
（実施例６）
製造例３にて製造した防カビ剤マイクロカプセルを２枚の不織布に挟み、水平に保った状態で３×３ｃｍの格子状に縫合して収容室を作製し、１ｋｇ／ｍ2となるように防カビフィルタを作製した。
【００５５】
（防カビ性評価試験）
実施例５、６及び防カビ剤を付与しない未処置の不織布フィルタについて防カビ性評価試験を試みた。カビ胞子及びカビの栄養源としての寒天水溶液をそれぞれのフィルタに噴霧し、試験開始時、試験開始７日後、試験開始１４日後におけるカビの発生度合いを観察した。
【００５６】
（防カビ性評価試験結果）    
以下に、防カビ性試験の結果を示す。表中の×は、カビの菌糸が確認されなかったことを示す。
【表３】
2014000155.tif 000004
【００５７】
表３に示したように、防カビ剤を付与していない未処置の不織布フィルタにおいては、試験開始７日後にカビの菌糸が確認され、１４日後にはさらに成長している様子が確認された。一方で、実施例５及び６の不織布においては、７日後及び１４日後の双方においてカビの菌糸は確認されなかった。以上より、本発明におけるフィルタの防カビ性能が確認された。